(57)【要約】【課題】配線パターンが同一である場合に電気部品の形状変更があっても使用可能化を図る。【解決手段】回路基板２の板面に設けられる基板管理番号６を回路基板２の配線パターン３で決まるパターン決定部分７と回路基板２に実装される電気部品９で決まる実装品決定部分８とにより形成し、パターン決定部分７を回路基板２の製作時点で回路基板２に付与し、実装品決定部分８を電気部品９の実装時点で回路基板２に付与する一方、遊技店３１から破棄された回路基板２に実装された電気部品９を電気的機能は同じであるものの外観形状が異なる新たな電気部品９Ａと交換した場合に、回路基板２の板面に設けられた基板管理番号６のうちの実装品決定部分８を上記新たな電気部品９Ａと対応する実装品決定部分８Ａに書き換える。【選択図】　　　　図１
2004057651.tif 000002
【特許請求の範囲】
【請求項１】
回路基板の板面に設けられる基板管理番号を回路基板の配線パターンで決まるパターン決定部分と回路基板に実装される電気部品で決まる実装品決定部分とにより形成したことを特徴とする遊技制御基板。
【請求項２】
回路基板の板面に設けられる基板管理番号を回路基板の配線パターンで決まるパターン決定部分と回路基板に実装される電気部品で決まる実装品決定部分とにより形成し、パターン決定部分を回路基板の製作時点で回路基板に付与し、実装品決定部分を電気部品の実装時点で回路基板に付与することを特徴とする遊技制御基板の製造方法。
【請求項３】
回路基板の板面に設けられる基板管理番号を回路基板の配線パターンで決まるパターン決定部分と回路基板に実装される電気部品で決まる実装品決定部分とにより形成し、パターン決定部分を回路基板の製作時点で回路基板に付与し、実装品決定部分を電気部品の実装時点で回路基板に付与する一方、遊技店から破棄された回路基板に実装された電気部品を電気的機能は同じであるものの外観形状が異なる新たな電気部品と交換した場合に、回路基板の板面に設けられた基板管理番号のうちの実装品決定部分を上記新たな電気部品と対応する実装品決定部分に書き換えることを特徴とする遊技制御基板の再生方法。
【発明の詳細な説明】
【０００１】
【発明の属する技術分野】
本発明はパチンコ機やスロットマシンなどのような遊技機の制御を行う遊技制御基板に関する。
【０００２】
【従来の技術】
図２は特開平９−２９９５５３号公報や特開平１１−４７３６５号公報で開示された遊技制御基板１を示し、遊技制御基板１は回路基板２の板面に配線パターン３、遊技機製造会社を表す遊技機製造会社名４、回路基板製造会社を表す基板製造会社名５、回路基板２の管理に使用する基板管理番号６を有する。遊技制御基板１には主制御基板、図柄制御基板、音制御基板、発射払出制御基板などと呼ばれるような種々のものが存在する。回路基板２には回路基板２を図１の制御ケース１２に取り付けるための貫通孔２ａを備える。
【０００３】
【発明が解決しようとする課題】
しかしながら、前記従来例は基板管理番号６が回路基板２の配線パターン３と電気部品９とを１つのまとまりとして形成されている。このため、パチンコ機やスロットマシンなどのような流行の激しい多品種少量生産を余儀なくされる遊技機において、遊技機の販売予定数を計画して回路基板２を製造し、製造した数の遊技機が実際に販売できなかった場合、販売された数量と製造数量との差の数の回路基板２を別の機種に転用することができずに廃棄しなければならず、また、販売された遊技制御基板１を再使用する場合、電気部品９の１個でも電気的機能が変わらずとも外観形状が変わると、不正防止の観点から基板管理番号６も変更する必要があるから、遊技制御基板１を廃棄しなければならず、いずれの場合も不経済であった。図２中の符号１０は回路基板２に実装されたコネクタである。
【０００４】
そこで、本発明は配線パターンが同一である場合に電気部品の外観形状変更があっても使用し得ることができる遊技制御基板を提供するものである。
【０００５】
【課題を解決するための手段】
本発明に係る遊技制御基板にあっては、回路基板の板面に設けられる基板管理番号を回路基板の配線パターンで決まるパターン決定部分と回路基板に実装される電気部品で決まる実装品決定部分とにより形成したことによって、また、本発明に係る遊技制御基板の製造方法にあっては、回路基板の板面に設けられる基板管理番号を回路基板の配線パターンで決まるパターン決定部分と回路基板に実装される電気部品で決まる実装品決定部分とにより形成し、パターン決定部分を回路基板の製作時点で回路基板に付与し、実装品決定部分を電気部品の実装時点で回路基板に付与することによって、さらに、本発明に係る遊技制御基板の再生方法にあっては、回路基板の板面に設けられる基板管理番号を回路基板の配線パターンで決まるパターン決定部分と回路基板に実装される電気部品で決まる実装品決定部分とにより形成し、パターン決定部分を回路基板の製作時点で回路基板に付与し、実装品決定部分を電気部品の実装時点で回路基板に付与する一方、遊技店から破棄された回路基板に実装された電気部品を電気的機能は同じであるものの外観形状が異なる新たな電気部品と交換した場合に、回路基板の板面に設けられた基板管理番号のうちの実装品決定部分を上記新たな電気部品と対応する実装品決定部分に書き換えることによって、流行の激しい多品種少量生産を余儀なくされる遊技機において、遊技機の販売予定数を計画して回路基板を製造し、製造した数の遊技機が実際に販売できなかった場合でも、販売された数量と製造数量との差の数の回路基板を別の機種に転用することができ、また、販売された遊技制御基板を再使用する場合、電気部品の１個でも電気的機能が変わらずとも外観形状が変わっても、実装品決定部分だけを書き換えることによって、遊技制御基板を再使用することができる。
【０００６】
【発明の実施の形態】
図１は一実施形態に係る遊技制御基板１とそれの製造方法およびそれの再生方法を示す。遊技制御基板１は主制御基板、図柄制御基板、音制御基板、発射払出制御基板などと呼ばれるような種々の回路基板２を備える。回路基板２は板面に遊技制御回路を構成する配線パターン３、遊技機製造会社名（図１では文字凸凹と表記）４、基板製造会社名（図１では記号○×と表記）５、基板管理番号６を備える。基板管理番号６はパターン決定部分（図１では１２３と表記）７と実装品決定部分（図１では文字ＡＢまたは文字ＣＤと表記）８とにより形成される。パターン決定部分７は回路基板２の配線パターン３で決まる管理番号であり、実装品決定部分８は回路基板２に実装される電気部品９で決まる管理番号である。
【０００７】
次に、回路基板２に基板管理番号６が付与される流れについてステップ１０１からステップ１０７を参照しつつ説明する。ステップ１０１は回路基板製造工程であって、この回路基板製造工程では回路基板２に遊技機製造会社名４、基板製造会社名５、パターン決定部分７が付与される。ステップ１０２は電気部品実装工程であって、この電気部品実装工程では電気部品９やコネクタ１０が回路基板２に挿入実装または面実装にて実装されるとともに、文字「ＡＢ」で表記した実装品決定部分８が回路基板２の板面に付与される。回路基板２に実装される電気部品９としては例えばマイクロコンピューター、コンデンサ、トランス、抵抗器などである。遊技制御基板１は回路基板２に電気部品９やコネクタ１０が実装された形態の総称である。ステップ１０１；１０２におけるパターン決定部分７および実装品決定部分８は図外のコンピューターグラフィック技法によるインクジェットプリンターやレーザープリンターなどのようなデータで管理番号を容易に変更し形成し得る道具を用いて回路基板２の板面に数字やアルファベットなどのような文字で記載される。
【０００８】
ステップ１０３は遊技機製造工程であって、この遊技機製造工程では電気部品９の実装された回路基板２が制御ケース１２に収納された制御装置１１となる。制御ケース１２は透視性を有するポリカボネートのような合成樹脂からなる上カバー１３と透視性を有するポリカボネートのような合成樹脂からなる下カバー１４とに分別構成されており、制御装置１１は上カバー１３と下カバー１４とが開口を向き合わせる格好で互いに組み合わされた内部空間に電気部品９の実装された回路基板２である遊技制御基板１を格納した後に図外の止ねじのような固着具で関係者以外が解体することができないように組み立てられた形態である。
【０００９】
このように組み立てられた制御装置１１は遊技盤１５の裏側または遊技盤１５の格納される遊技機枠２１の裏側に取り付けられる。遊技盤１５の前面である意匠盤面にはガイドレール１６および図外の部品が取り付けられている。図外の部品としては、例えば、入賞部品、図柄表示器、サイドランプ、ランプ風車、風車、完了ランプ、賞球ランプ、遊技釘などである。遊技機枠２１は前面に前面飾り２２、前面ガラス２３、皿装置２４、ハンドルグリップと呼ばれるような球発射操作機構２５などの部品を備え、内部に図外の球発射機構、図外のタンク、図外の球払出機構などの部品を備える。このように組み立てられた遊技盤１５が単独で、または、遊技盤１５を備えた遊技機枠２１がステップ１０４に示す各地のパチンコ店のような遊技店３１に遊技機３２として販売される。
【００１０】
ステップ１０４は遊技店３１で遊技機３２が使用される工程である。このステップ１０４の工程において各地の遊技店３１から使用済として破棄されて排出された遊技機３２である廃棄台３３はステップ１０５に示す集荷場３５に集荷される。ステップ１０５は廃棄台３３を回収する工程である。この回収工程における集荷場３５に集荷された廃棄台３３は遊技店３１の島と呼ばれるような遊技機設置設備に取り付けられた遊技機枠２１に遊技盤１５が組み込まれた状態のものと、遊技機設置設備に取り付けられた遊技機枠２１から取り外された遊技盤１５の状態のものとがある。この集荷された廃棄台３３における遊技機枠２１や遊技盤１５には遊技制御をつかさどるステップ１０３に示す制御装置１１が取り付けられている。
【００１１】
そこで、集荷場３５において、廃棄台３３から制御装置１１を取り外す。この制御装置１１は合成樹脂からなる制御ケース１２の内部に電気部品９の実装された回路基板２からなる遊技制御基板１を格納した形態であるので、制御装置１１を廃棄台３３から取り外す場合、制御装置１１の回路基板２に実装されたコネクタ１０と廃棄台３３に設けられた図外の部品に結線されたコネクタとの結合を解除することによって、制御装置１１から配線を取り除く。このように廃棄台３３から取り外された制御装置１１は制御ケース１２が解体される。制御ケース１２を解体する場合、止ねじのような固着具が取り外されるかまたは回路基板２を傷めないように制御ケース１２が切断されることによって、電気部品９の実装された回路基板２からなる遊技制御基板１と制御ケース１２とが分離される。
【００１２】
制御ケース１２から分離された遊技制御基板１には製品として使用可能に動作するか否かの検査をステップ１０６で行う。それには、図外の検査機器におけるコネクタが遊技制御基板１のコネクタ１０に接続された後、検査機器の電源スイッチがオン動作され、検査機器から回路基板２および電気部品９に動作電力が供給される。その状態において、検査機器が検査指示を回路基板２に出力すると、電気部品９が検査動作を開始する。この検査動作によって、検査機器は回路基板２に実装された電気部品９が正常に動作するか否かを判定するとともに判定結果を表示する。この検査において、遊技制御基板１の電気部品９が正常に動作する場合はその後の製品として適格な良品であるので、電気部品９が正常に動作する場合であって、かつ、当該電気部品９が外観形状も変更になっていない場合には、当該遊技制御基板１はステップ１０３の遊技機製造工程に送られる。
【００１３】
逆に、検査において、遊技制御基板１の電気部品９が正常に動作しない場合は電気部品９自身が故障しているか、または、回路基板２の上に這わされた配線パターン３が欠損しているかのいずれかであって、いずれにおいても、検査された遊技制御基板１はその後の製品としては不適格な不良品であるので、図外の修理工程において、電気部品９やコネクタ１０が故障しているのか、配線パターン３に欠損が生じているのかを検査し、電気部品９やコネクタ１０が故障している場合は当該故障している電気部品９やコネクタ１０を新しい良品たる電気部品９や良品たるコネクタ１０と交換し、電気部品９やコネクタ１０の交換された遊技制御基板１はステップ１０６の検査工程に供給される。配線パターン３が欠損している場合は、当該遊技制御基板１から電気部品９やコネクタ１０を取り外して回路基板２を破棄する。
【００１４】
また、ステップ１０２の時期からステップ１０６の時期までの期間において、電気部品９の１個でも電気的機能が変わらずとも外観形状が変わった場合にはステップ１０７において、当該電気部品９を回路基板２から取り外した後に、外観形状が変更になった電気部品９Ａを回路基板２に実装するとともに、文字ＡＢで示す実装品決定部分８を２本線Ｌで消す一方、文字ＣＤで示す実装品決定部分８Ａを新たに書き加えた後、遊技制御基板１がステップ１０３の遊技機製造工程に送られる。実装品決定部分８Ａを書き加える場合、ステップ１０１；１０２におけるパターン決定部分７と同様、図外のコンピューターグラフィック技法によるインクジェットプリンターやレーザープリンターなどのようなデータで管理番号を容易に変更し形成し得る道具を用いて回路基板２の板面に数字やアルファベットなどのような文字で記載される。また、実装品決定部分８Ａを書き加える場合、文字１２３で示すパターン決定部分７と文字ＡＢで示す実装品決定部分８とを２本線Ｌで消してもよいが、この場合には、文字１２３で示すパターン決定部分７と文字ＣＤで示す実装品決定部分８Ａとを書き換えるので、書き換え後のパターン決定部分７と実装品決定部分８Ａとが横一列に並ぶことから、人が基板管理番号６を見やすくなる。
【図面の簡単な説明】
【図１】一実施形態を示すフローチャート。
【図２】従来例の遊技制御基板を示す平面図。
【符号の説明】
１　遊技制御基板
２　回路基板
３　配線パターン
６　基板管理番号
７　パターン決定部分
８　実装品決定部分
９　電気部品
１０　コネクタ
【図１】
2004057651.tif 000003
【図２】
2004057651.tif 000004